(57)【要約】【課題】自宅のみならず図書館、職場、学校への携行において軽く、構造が簡単で、大小さまざまな書物等のページを開いた状態で保持できる利便性の高い文鎮を提供すること。【解決手段】リンク機構として組み立てられた少なくとも１つ以上の第１アーム、少なくとも１つ以上の第２アーム、および少なくとも１つ以上の連結用アームからなる文鎮であって、第１アームの胴部に長手方向に形成されたスライド用長穴に第２アームの片端に設けられた支軸がスライドおよび回動自在に枢着され、連結用アームの両端に設けられた一方の支軸は第１アームの端部に枢着されるとともに、他方の支軸は第２アームの中間に設けられた穴に回転自在に枢着され、該連結用アームにより第１アームと第２アームとの開き角度を１８０度より小さくしたことを特徴とする軽量折り畳み文鎮。【選択図】図２
2007326286.tif 000002
【特許請求の範囲】
【請求項１】
リンク機構として組み立てられた少なくとも１つ以上の第１アーム、少なくとも１つ以上の第２アーム、および少なくとも１つ以上の連結用アームからなる文鎮であって、
第１アームの胴部に長手方向に形成されたスライド用長穴に第２アームの片端に設けられた支軸がスライドおよび回動自在に枢着され、連結用アームの両端に設けられた一方の支軸は第１アームの端部に枢着されるとともに、他方の支軸は第２アームの中間に設けられた穴に回転自在に枢着され、該連結用アームにより第１アームと第２アームとの開き角度を１８０度より小さい角度としたことを特徴とする軽量折り畳み文鎮。
【請求項２】
前記第１アーム及び第２アームのそれぞれの外端に台部を設けたことを特徴とする請求項１に記載の軽量折り畳み文鎮。
【請求項３】
前記第２アームの外端の台部にプランジャーを設け、連結用アームの端部にプランジャー突起部収納穴を設けたことを特徴とする請求項１又は２に記載の軽量折り畳み文鎮。
【発明の詳細な説明】
【技術分野】
【０００１】
本発明は、左右に開いた書物を上から押さえ閉じないように保つための文鎮に関する。
【背景技術】
【０００２】
書物等を開くことは自宅のみならず図書館、職場、学校などで多くの場所で行われるので書物用の文鎮としてはコンパクトで携行性、機能性を併せ持つ文鎮が望まれている。ここで、書物等とは書籍、雑誌、冊子、教材その他ノートブックを含む意味で使用される。
従来、左右に開いた書物を開いた状態に保つために、その上に重量物を置くか、あるいは敷き板に設けた特製の紙バサミで開いた本の左右を挟んで止めることなどが行われている。近時、パソコンの普及などにより書物からの転写、引用などの入力をする機会もますます増え書物を開いた状態を保持する用具の必要性は高い。
【０００３】
例えば、特に書道用として提案されたものであるが従来の「一本物」文鎮に対して、特許文献１では文鎮を状況に応じて一本化又は複数本化させ、その利用形態に幅をもたせることで、持ち運びの利便性及び収納のコンパクト性を図ったものが提案されている。
特許文献１では、複数の分割片からなる文鎮であって分割片は連結手段により一体的になる文鎮である。
しかしながら、従来の文鎮を２つに分割したことで必要部位に離して文鎮を置くことにより紙面を押さえ、コンパクト性、利便性、機能性は改善されているが、その原理は従来と同じく主として重量による紙面押さえを利用したものである。したがって、その重量においては変わることはない。
【特許文献１】特開１１−１２３８９６号公報
【発明の開示】
【発明が解決しようとする課題】
【０００４】
本発明は、このような事情に鑑みてなされたもので、自宅のみならず図書館、職場、学校への携行において軽く、構造が簡単で、大小さまざまな書物等のページを開いた状態で保持できる利便性の高い文鎮の提供を目的とする。
【課題を解決するための手段】
【０００５】
本発明の請求項１に記載の軽量折り畳み文鎮は、リンク機構として組み立てられた少なくとも１つ以上の第１アーム、少なくとも１つ以上の第２アーム、および少なくとも１つ以上の連結用アームからなる文鎮であって、第１アームの胴部に長手方向に形成されたスライド用長穴に第２アームの片端に設けられた支軸がスライドおよび回動自在に枢着され、連結用アームの両端に設けられた一方の支軸は第１アームの端部に枢着されるとともに、他方の支軸は第２アームの中間に設けられた穴に回転自在に枢着され、該連結用アームにより第１アームと第２アームとの開き角度を１８０度より小さい角度としたことを特徴とする。
請求項２に記載の軽量折り畳み文鎮は、請求項１において、前記第１アーム及び第２アームのそれぞれの外端に台部を設けたことを特徴とする。
請求項３に記載の軽量折り畳み文鎮は、請求項１又は２において、前記第２アームの外端の台部にプランジャーを設け、連結用アームの端部にプランジャー突起部収納穴を設けたことを特徴とする。
【発明の効果】
【０００６】
本発明の文鎮は、文鎮のアームが左右に開いた状態の紙面の傾斜に合わせて押さえる機構となっているので、本が閉じようとする力に対して、アームを開いたときの形状やアーム下面の摩擦抵抗を利用して下方に効率良く押さえることができる。
したがって、重量に頼って本を押さえるのではないので、文鎮の素材として、金属、陶器、石、ガラスなど比重の大きい素材を必ずしも使用する必要がなく、プラスチック、木材など軽く、加工製作しやすい材料を使用することができ、重量によらないので書籍を傷める心配がなく、誤って落下させたときのリスクも少ない。
さらに、素材が軽い上にアームを開いて長くした使用時の状態から折り畳むことにより約半分程度のサイズになるから携行性が非常によく、置き方を工夫すれば、文鎮以外にも様々な用途が考えられる。
【発明を実施するための最良の形態】
【０００７】
以下、本発明の軽量折り畳み文鎮の実施の形態を、図面を用いて詳細に説明する。図１は、本実施形態の軽量折り畳み文鎮の一例を示す斜視図であり、図２は軽量折り畳み文鎮を開いた書物に適用した状態の一例を示す斜視図である。図３は、軽量折り畳み文鎮を折り畳む（または開く）途中状態を示す斜視図であり、図４は同軽量折り畳み文鎮を折り畳んだ状態を示す斜視図である。図５は、軽量折り畳み文鎮のアーム・リンク機構の説明図である。図６は、軽量折り畳み文鎮の連結用アームに取り付けたネジ位置を説明する斜視図及び断面図である。図７は軽量折り畳み文鎮に取り付けたプランジャーおよびその突起部収納穴の説明図である。
【０００８】
図１に示すように、第１アーム１、第２アーム２及び連結用アーム３は、リンク機構を構成する。すなわち、第１アーム１にはスライド用長穴１ａがその胴部１３の長手方向に形成されており、そのスライド用長穴１ａに、第２アーム２の片端２１に設けられた支軸２ａがスライドおよび回動自在に枢着されている。第２アームの開度は、支軸２ａがスライド用長穴１ａの右端（図面において）に達した位置で決まる。すなわち、支軸２ａが、スライド用長穴１ａの右端位置に来たとき、その第１アームと第２アームの一方向からの開き角度が１８０度より小さくなるようにスライド用長穴１ａの長さを設定している。
連結用アーム３の片端３１（図１では連結用アーム３の左端）に設けられた支軸３ａは第１アーム１の端部１２（図１では第１アーム１の右端）に枢着されるとともに、連結用アーム３の他方の端部３２（図１では連結用アーム３の右端）に設けられた支軸３ｂは第２アーム２の胴部２３の中間に設けられた穴２ｂに回転自在に枢着されている。
また第１アーム１の左端１１には第１アーム１の胴部１３よりも厚みが大きい台部１４が形成されているとともに、第２アーム２の右端２２にも同様の台部２４が設けられている。
【０００９】
図２は、本発明の軽量折り畳み文鎮の使用状態の一例を示す斜視図であり、開いた書物１０の上に載置して紙面が閉じないようにした例を示す。
従来の単純な棒状の文鎮は、比較的厚い書物の紙面の傾斜に合わせて両紙面を同時に押さえようとすれば文鎮自体の重量を大きくしなければ達成できなかったが、本発明の軽量折り畳み文鎮は、開いた書物１０の紙面の傾斜に合わせて第１アーム１及び第２アーム２の開度が、その自重により書物の形状に自動的に追随するリンク機構になっており、書物を押さえるための素材重量を少なくすることができ、紙面が閉じようとする反発力を、アームを開いたときの形状による拘束力やアーム下面の摩擦を利用して止めることができる。
【００１０】
また、第１アーム１及び第２アーム２のそれぞれの端部に設けた台部１４，２４の肉厚を、アームの胴部１３，２３よりも厚くしており、第１アーム１及び第２アーム２の開度を維持したまま紙面の前後に倒れることなく、安定して紙面上に載置させておくことができる。また端部の重量配分が大きくなることで、端部の慣性モーメントが増し、全体の重量が軽いにもかかわらず文鎮として安定した押さえ効果を発揮することが出来る。
【００１１】
次に、図３〜図５を用いて、本発明の軽量折り畳み文鎮の動作を説明する。
図３は、本発明の軽量折り畳み文鎮の第１アーム１と第２アーム２との開度を変える状態を示す斜視図である。まず、折り畳み文鎮を畳む場合（開度を小さくする）場合、第２アーム２の支軸２ａを、第１アーム１のスライド用長穴１ａに沿って矢印Ａ方向（図１において左方向）にスライドさせて移動させるとともに、連結用アーム３を連結用アーム３の支軸３ａを中心として矢印Ｂ方向（図１において左方向）に回動させる。この連結用アーム３の動きに伴って第２アーム２の右端の台部２４は矢印Ｃ方向（図１において上方向）に移動する。
【００１２】
図４は、上記のような折り畳み作業が完了して一体化した折り畳み文鎮の斜視図を示している。第１アーム１、第２アーム２、および連結用アーム３とが重なって収納され１本の単純な棒状になり、使用時の状態に比べて約半分程度の長さになり携行性に優れた折り畳み文鎮となる。
【００１３】
図５は、本発明の軽量折り畳み文鎮の、第２アーム２の動きに連動して回動する連結用アーム３の動きをさらに詳しく説明する図である。
図５（ａ）に示すように、第２アーム２が開いた状態から、図５（ｂ）に示すように連結用アーム３と第２アーム２の中間穴２ｂは円弧Ｄの軌跡を描きながら回動するとともに、第２アーム２の左端の支軸２ａは第１アーム１のスライド用長穴１ａに沿って矢印Ａ方向にスライド移動し、図５（ｃ）に示すように折り畳まれて棒状に一体化される。
【００１４】
図６は、第２アーム２の中間に設けられた穴に枢着する連結用アーム３の支軸としてネジ２ｃを採用した例を示す斜視図である。支軸としてのネジ２ｃは、図６（ｂ）に示すように第２アーム２を貫通して連結用アーム３に螺着されている。すなわちネジ２ｃを回して締めることにより、第２アーム２と連結用アーム３とを自由に回動しないように任意の開度で固定することができる。
【００１５】
図７は、軽量折り畳み文鎮を折り畳んで１本の棒状にした状態で、半固定できるようにする構造を説明したものである。図７（ａ）に示すように、第２アームの台部２４の内側にプランジャーを取り付け、連結用アーム３の支軸３ａ側の先端面に突起収納穴３５を受けている。同図（ｂ）は軽量折り畳み文鎮を折り畳んで１本の棒状にした状態であるが、プランジャーの突起部が、連結用アーム３の支軸３ａ側の突起収納穴３５に嵌挿され両アーム同士を半固定できる。
【００１６】
なお、本実施形態では台部１４，２４のサイズ・形状を折り畳んだ状態の３本のアームの合計サイズや形状に合わせた立体としており、折り畳んだ状態で細長い角棒デザインとなる。この形状については角棒デザインに限らず面取りをした棒状デザイン、更に丸棒デザインなどが採用できる。また折り畳んだ状態の３本のアームの合計のサイズや形状より大きな形状とする事で、紙面上に設置した時の押さえ効果・安定性を増すことが出来る。
両端の台部１４，２４はアームと一体ものではなく装飾性を重視して球体などデザイン性に富んだものを付設することも出来る。
【００１７】
また、この台部１４，２４の全体またはその一部を、金属、ガラスなど比較的比重の大きい素材を採用することにより、軽微な重量増のみで文鎮としての押さえ効果を高めることができる。さらに台部１４，２４のそれぞれの外端側に、さらに一つまたは複数の部材を追加、ねじやスライド機構などでそれらを連結し、必要に応じて台部外端側に移動させる構造とする事により、同じ重量で外端部の慣性モーメントを使用時に増加させることが出来、さらに安定した押さえ効果を持たせることが出来る。
【００１８】
部材の書物等に接する部分・表面または全体の表面を、摩擦係数の高い塗装や処理、またはゴムや樹脂などの摩擦係数の高い素材の装着・接着等の処理を施すこと、あるいは部材自体を摩擦係数の高い素材で構成することにより、書物等との摩擦力を増加させ、押さえ効果を増大させる事が出来る。
【００１９】
第１アーム1の端部１２・第２アーム２の端部２１のそれぞれの先端コーナー１２ａ，２１ａを単一の円弧状に加工し上下どちら側にも第２アームが開くようにも出来るし、一方のコーナーの面取り半径を小さくして、第２アームが片方にしか開かないようにすることも出来る（図４参照）。
【００２０】
使用時において第１アーム1と第２アーム２とがなす角度（書物等と接する側）を１８０度より小さくするため、第１アーム１の胴部１３に設けられたスライド用長穴１ａの右端を位置Ｅとして、支軸２ａの動きが第１アーム１に対して、一方向からの開き角度が１８０度を超えないようにしている（図５参照）。
【００２１】
第１アーム１、第２アーム２、及び連結用アーム３は、部分的に比重の小さい材料を採用したり、部分的に厚さを変えたり、肉抜き孔を適時設ける等の加工を施すことによって、押さえ効果の大幅な低下を招くことなく、更なる軽量化を図ることが出来る。
【産業上の利用可能性】
【００２２】
本発明は、簡単なリンク機構によりアームを開いた書物の紙面の傾斜に合わせて押さえる文鎮を達成したもので、紙面が元に戻ろうとする反発力を、アームを開いたときの形状による拘束力やアーム下面の摩擦抵抗により抑えることができる。したがって比較的比重の小さいプラスチック、木材などでも押さえ効果の高い文鎮として利用可能である。
また、素材が軽い上にアームを開いて長くした使用時の状態から、折り畳むことにより約半分程度のサイズになるから、携行性が非常に良く日常使用において極めて利便性が高い。
【図面の簡単な説明】
【００２３】
【図１】本実施形態の軽量折り畳み文鎮の一例を示す斜視図である。
【図２】軽量折り畳み文鎮を開いた書物に適用した一例を示す斜視図である。
【図３】軽量折り畳み文鎮を折り畳む（または開く）途中状態を示す斜視図である。
【図４】軽量折り畳み文鎮を折り畳んだ状態を示す斜視図である。
【図５】軽量折り畳み文鎮のアーム・リンク機構の説明図である。
【図６】軽量折り畳み文鎮の連結用アームに取り付けたネジ位置を説明する斜視図（ａ）及び断面図（ｂ）である。
【図７】は軽量折り畳み文鎮に取り付けたプランジャーおよびその突起部収納穴との嵌挿の構造説明図である。
【符号の説明】
【００２４】
１    ・・・第１アーム
１ａ  ・・・スライド用長穴
２    ・・・第２アーム
２ａ  ・・・スペーサーを設けた支軸
２ｂ  ・・・第２アーム中間に設けられた穴
２ｃ  ・・・ネジ
３    ・・・連結用アーム
３ａ  ・・・支軸
１４，２４  ・・・台部
１２ａ，２１ａ  ・・・先端コーナー
２５  ・・・プランジャー
３５  ・・・プランジャー突起部収納穴
Ａ    ・・・支軸２ａのスライド方向
Ｂ    ・・・連結用アーム３の回動方向
Ｃ    ・・・台部の移動方向
Ｄ    ・・・中央穴２ｂの回動軌跡
Ｅ    ・・・スライド用長穴の端部位置
１０  ・・・書物
【図１】
2007326286.tif 000003
【図２】
2007326286.tif 000004
【図３】
2007326286.tif 000005
【図４】
2007326286.tif 000006
【図５】
2007326286.tif 000007
【図６】
2007326286.tif 000008
【図７】
2007326286.tif 000009